【手続補正書】
【提出日】平成31年4月11日(2019.4.11)
【手続補正１】
【補正対象書類名】明細書
【補正対象項目名】０１３８
【補正方法】変更
【補正の内容】
【０１３８】
図における要素に関する記載は、別段の指定がない限り、他の図の対応する要素に等しく適用されると理解すべきである。本発明は、上述の特定の実施例及び実施形態に限定されると考えられるべきでなく、そのような実施形態は、本発明の様々な態様の説明をわかりやすくするために詳細に説明されている。したがって、本発明は、添付の請求項及びその均等物により定義される発明の範囲内の各種変形例、同等な処理、及び代替装置のような発明の全態様を網羅するものと解されるべきである。本開示の実施態様の一部を以下の〈態様１〉−〈態様５４〉に記載する。
〈態様１〉
第１の方向に沿って延びている複数の実質的に線形の平行な頂部構造を備える構造化頂面であって、各頂部構造が曲率半径Ｒ及び高さｈを有する円筒形表面を有し、ｈ／Ｒが約０．４以下である、構造化頂面と、
前記第１の方向と異なる第２の方向に沿って延びている複数の実質的に線形の平行な離間された底部構造を備える構造化底面であって、各底部構造が対向する第１の面及び第２の面を備え、前記第１の面が実質的に平坦であり、前記第２の面が湾曲しており、隣接する底部構造間の間隔が約０．５ミクロン〜約３ミクロンの範囲内にある、構造化底面と、
を含む、光学フィルム。
〈態様２〉
前記構造化頂面と前記構造化底面との間に配設された反射偏光子であって、第３の方向に沿った偏光状態を有する光を実質的に反射し、前記第３の方向と異なる第４の方向に沿った偏光状態を有する光を実質的に透過する、反射偏光子を更に備える、態様１に記載の光学フィルム。
〈態様３〉
前記第３の方向が前記第１の方向及び前記第２の方向の一方に沿っており、前記第４の方向が前記第１の方向及び前記第２の方向の他方に沿っている、態様１に記載の光学フィルム。
〈態様４〉
第１の方向に沿って延びている複数の実質的に線形の平行な構造を備える構造化表面を備える光学フィルムであって、各構造が、前記構造の基部の対向する第１の端部及び第２の端部からそれぞれ延び前記構造の先端で接している、対向する第１の面及び第２の面を備え、このとき、前記光学フィルムを前記第１の方向に対して垂直な方向において断面視すると、前記第１の面が、複数の曲率の中心であって、少なくとも１つが、前記基部の前記第１の端部と前記構造の前記先端とを結んだ線の垂直二等分線からずらされている中心を有する区分ごとに湾曲した弧である、光学フィルム。
〈態様５〉
光源と、
前記光源に近接した入力表面、及び出力表面を有する光ガイドと、
外側表面上に配設された態様４に記載の光学フィルムであって、前記構造化表面が前記出力表面に面している、光学フィルムと、
を備える、バックライト。
〈態様６〉
第１の方向に沿って延びている複数の実質的に線形の平行な頂部構造を備える構造化頂面であって、各頂部構造が、前記構造の先端で接して先端角度を形成している、対向する第１の実質的に平坦な面及び第２の実質的に平坦な面を備え、前記先端角度が約９０度〜約１１０度の範囲内にある、構造化頂面と、
前記第１の方向と異なる第２の方向に沿って延びている複数の実質的に線形の平行な底部構造を備える構造化底面であって、各底部構造が、前記構造の基部の対向する第１の端部及び第２の端部からそれぞれ延び前記構造の先端で接している、対向する第１の面及び第２の面を備え、このとき、前記構造化底面を前記第２の方向に対して垂直な方向において断面視すると、前記第１の面は実質的に、前記基部と約５０度〜約７０度の範囲内にある第１の角度を成している直線であり、前記第２の面は約４０ミクロン〜約１００ミクロンの範囲内にある曲率半径を有する弧であり、前記基部の前記第２の端部と前記構造の前記先端とを結んだ直線が前記基部と約６０度〜約８０度の範囲内にある第２の角度を成している、構造化底面と、
を備える、光学フィルム。
〈態様７〉
光源と、
前記光源に近接した入力表面、及び出力表面を有する光ガイドと、
前記出力表面上に配設された光学フィルムであって、
第１の方向に沿って延びている複数の実質的に線形の平行な離間された底部構造を備えかつ前記光ガイドの前記出力表面に面している底部層であって、隣接する底部構造間の間隔が約０．５ミクロン〜約３ミクロンの範囲内にある、底部層、
前記第１の方向と異なる第２の方向に沿って延びている複数の実質的に線形の平行な離間された頂部構造を備えかつ前記光ガイドの前記出力表面から離れる方向に面している頂部層であって、隣接する頂部構造間の間隔が約０．５ミクロン〜約５ミクロンの範囲内にある、頂部層、並びに
前記頂部層と前記底部層との間に配設されこれらに接着された反射偏光子であって、第３の方向に沿った偏光状態を有する光を実質的に反射し、前記第３の方向と異なる第４の方向に沿った偏光状態を有する光を実質的に透過する、反射偏光子
を備える光学フィルムと、を備える、バックライト。
〈態様８〉
前記第３の方向が前記第１の方向及び前記第２の方向の一方に沿っており、前記第４の方向が前記第１の方向及び前記第２の方向の他方に沿っている、態様７に記載のバックライト。
〈態様９〉
前記第３の方向が前記第４の方向に対して実質的に垂直である、態様７に記載のバックライト。
〈態様１０〉
前記第１の方向が前記第２の方向に対して実質的に垂直である、態様７に記載のバックライト。
〈態様１１〉
前記光学フィルムの前記光ガイドとは反対側に配設された、前記光源が放射した光を拡散させるための光学ディフューザを更に備える、態様７に記載のバックライト。
〈態様１２〉
前記光学フィルムと前記光ガイドとの間に配設されたバッファー層を更に備える、態様７に記載のバックライト。
〈態様１３〉
前記バッファー層が頂部構造化表面を含む、態様１２に記載のバックライト。
〈態様１４〉
前記バッファー層の前記構造化表面が表面拡散構造である、態様１３に記載のバックライト。
〈態様１５〉
前記バッファー層の前記構造化表面がより高いヘイズの部分及びより低いヘイズの部分を有し、前記高いヘイズの部分が前記光源に近接した前記バッファー層の縁部の最も近くに配設されている、態様１４に記載のバックライト。
〈態様１６〉
前記高いヘイズの部分が前記バッファー層の前記頂面の１０％以下を覆う、態様１５に記載のバックライト。
〈態様１７〉
第１の方向に沿って線形に延びておりかつ第１のピッチで配置された複数の実質的に平行な頂部構造を備える構造化頂面と、
前記第１の方向と異なる第２の方向に沿って線形に延びておりかつ第２のピッチで配置された複数の実質的に平行な底部構造を備える構造化底面であって、隣接する底部構造間の間隔が約０．５ミクロン〜約３ミクロンの範囲内にある、構造化底面と、を備え、頂部構造及び底部構造の各々が、前記構造の基部の対向する第１の端部及び第２の端部からそれぞれ延び前記構造の先端で接している対向する第１の面及び第２の面を備え、このとき、前記構造を前記構造の線形の延びに対して垂直な方向において断面視すると、前記第１の面及び前記第２の面は曲率半径を有する弧であり、前記構造の前記ピッチに対する前記曲率半径の比が、各頂部構造に関して約０．８〜約１０、各底部構造に関して約１．５〜約２０の範囲内にある、
光学フィルム。
〈態様１８〉
前記構造化頂面が表面拡散構造を含む、態様１７に記載の光学フィルム。
〈態様１９〉
前記表面拡散構造が、前記第１の方向に沿って測定した第１の傾斜分布、及び前記第２の方向に沿って測定した第２の傾斜分布を有し、第１の傾斜分布の大きさの少なくとも５０％が１度よりも大きい、態様１８に記載の光学フィルム。
〈態様２０〉
前記第２の傾斜分布の大きさの少なくとも５０％が０．１度未満である、態様１９に記載の光学フィルム。
〈態様２１〉
前記構造を前記構造の線形の延びに対して垂直な方向において断面視したとき、頂部構造及び底部構造の各々に関して、各構造の前記基部の第１の端部及び第２の端部と前記構造の前記先端とを結んだ直線が、それらの間に約６０度〜約１３０度の範囲内にある角度を形成している、態様１７に記載の光学フィルム。
〈態様２２〉
前記第１の方向と前記第２の方向との間の角度が、約７８度〜約９０度である、態様１７に記載の光学フィルム。
〈態様２３〉
前記構造化頂面と前記構造化底面との間に配設された反射偏光子であって、第３の方向に沿った偏光状態を有する光を実質的に反射し、前記第３の方向と異なる第４の方向に沿った偏光状態を有する光を実質的に透過する、反射偏光子を更に備える、態様１７に記載の光学フィルム。
〈態様２４〉
前記第１の方向が前記第２の方向に対して実質的に垂直であり、前記第３の方向が前記第４の方向に対して実質的に垂直であり、前記第１の方向及び前記第２の方向の一方が、前記第３の方向及び前記第４の方向の一方と約０〜１２度の角度を成している、態様２３に記載の光学フィルム。
〈態様２５〉
各底部構造を前記構造の線形の延びに対して垂直な方向において断面視すると、前記構造の前記先端が約０．１ミクロン〜約５ミクロンの範囲内にある曲率半径を有する弧になっている、態様１７に記載の光学フィルム。
〈態様２６〉
各底部構造を前記構造の線形の延びに対して垂直な方向において断面視すると、前記構造の前記基部の第１の端部及び第２の端部をそれぞれ通りかつ前記構造の前記湾曲した先端のそれぞれの側面に対する接線となっている第１の直線及び第２の直線が、それらの間に約５０度〜約７０度の範囲内にある角度を形成している、態様２５に記載の光学フィルム。
〈態様２７〉
各構造を前記構造の線形の延びに対して垂直な方向において断面視すると、前記構造の前記基部の各端部と前記構造の前記先端とを結んだ直線が、前記構造の前記基部と、各頂部構造に関して約５〜６０度、各底部構造に関して約２５〜８８度の角度を形成している、態様１７に記載の光学フィルム。
〈態様２８〉
各構造を前記構造の線形の延びに対して垂直な方向において断面視すると、前記構造の前記基部の各端部と前記構造の前記先端とを結んだ直線が、前記構造の前記基部と、各頂部構造に関して約３０〜５０度、各底部構造に関して約５０〜７０度の角度を形成している、態様１７に記載の光学フィルム。
〈態様２９〉
頂部構造及び底部構造の各々を前記構造の線形の延びに対して垂直な方向において断面視すると、前記構造の前記基部の第１の端部及び第２の端部と前記構造の前記先端とを結んだ直線が、前記構造の前記基部と同じ角度を成している、態様１７に記載の光学フィルム。
〈態様３０〉
各構造を前記構造の線形の延びに対して垂直な方向において各々断面視すると、前記構造の前記基部の各端部と前記構造の前記先端とを結んだ直線が、前記構造の前記基部と、各頂部構造に関して約３５〜４５度、各底部構造に関して約５５〜６５度の角度を成している、態様１７に記載の光学フィルム。
〈態様３１〉
頂部構造及び底部構造の各々を前記構造の線形の延びに対して垂直な方向において断面視すると、前記構造の前記先端におけるどの曲率半径も、前記構造の前記第１の面及び前記第２の面の曲率半径より小さい、態様１７に記載の光学フィルム。
〈態様３２〉
頂部構造及び底部構造の各々を前記構造の線形の延びに対して垂直な方向において各々断面視すると、前記構造の前記第１の面及び前記第２の面が、同じ曲率の中心を有さない弧になっている、態様１７に記載の光学フィルム。
〈態様３３〉
前記第１のピッチ及び前記第２のピッチの各々が約１０〜１００ミクロンである、態様１７に記載の光学フィルム。
〈態様３４〉
前記第１のピッチ及び前記第２のピッチの各々が約１０〜５０ミクロンである、態様１７に記載の光学フィルム。
〈態様３５〉
各構造を前記構造の線形の延びに対して垂直な方向において断面視すると、前記構造の前記第１の面及び前記第２の面が同じ曲率半径を有している、態様１７に記載の光学フィルム。
〈態様３６〉
各構造を前記構造の線形の延びに対して垂直な方向において断面視すると、前記曲率半径が、各頂部構造に関して約２０〜４０ミクロン、各底部構造に関して約６０〜８０ミクロンである、態様１７に記載の光学フィルム。
〈態様３７〉
各構造を前記構造の線形の延びに対して垂直な方向において断面視すると、前記構造の前記ピッチに対する前記構造の前記第１の面及び前記第２の面の前記曲率半径の比が、各頂部構造に関して約１〜約３、各底部構造に関して約２〜約５である、態様１７に記載の光学フィルム。
〈態様３８〉
前記複数の頂部構造及び底部構造のうちの少なくとも１つの構造の高さが、前記構造の線形の延びに沿って変動している、態様１７に記載の光学フィルム。
〈態様３９〉
前記複数の実質的に平行な頂部構造が、変動する第１のピッチで配置されている、態様１７に記載の光学フィルム。
〈態様４０〉
前記複数の実質的に平行な底部構造が、変動する第２のピッチで配置されている、態様１７に記載の光学フィルム。
〈態様４１〉
光を拡散するための光学ディフューザを更に備える、態様１７に記載の光学フィルム。
〈態様４２〉
１／４波長層を更に備える、態様１７に記載の光学フィルム。
〈態様４３〉
前記１／４波長層が前記構造化頂面と前記構造化底面との間に配設されている、態様４２に記載の光学フィルム。
〈態様４４〉
前記１／４波長層が、前記構造化底面とは反対側の前記構造化頂面上に配設されている、態様４２に記載の光学フィルム。
〈態様４５〉
第３の方向に沿った偏光状態を有する光を実質的に反射し、前記第３の方向と異なる第４の方向に沿った偏光状態を有する光を実質的に透過する、反射偏光子と、
１／４波長層と、
を備える偏光管理光学スタックを更に備える、態様１７に記載の光学フィルム。
〈態様４６〉
前記反射偏光子が前記１／４波長層に接着されている、態様４５に記載の光学フィルム。
〈態様４７〉
前記偏光管理光学スタックが前記構造化底面とは反対側の前記構造化頂面上に配設されており、前記１／４波長層が前記反射偏光子と前記構造化頂面との間に配設されている、態様４５に記載の光学フィルム。
〈態様４８〉
前記偏光管理光学スタックが前記構造化頂面と前記構造化底面との間に配設されており、前記１／４波長層が前記反射偏光子と前記構造化頂面との間に配設されている、態様４５に記載の光学フィルム。
〈態様４９〉
前記偏光管理光学スタックが前記構造化頂面と前記構造化底面との間に配設されており、前記１／４波長層が前記反射偏光子と前記構造化底面との間に配設されている、態様４５に記載の光学フィルム。
〈態様５０〉
前記構造化頂面と前記構造化底面との間に配設された光学複屈折性基材を更に備える、態様４５に記載の光学フィルム。
〈態様５１〉
光源と、
前記光源に近接した入力表面、及び出力表面を有する光ガイドと、
外側表面上に配設された態様１７に記載の光学フィルムであって、前記構造化底面が前記出力表面に面している、光学フィルムと、
を備える、バックライト。
〈態様５２〉
光源と、
前記光源に近接した入力表面、及び出力表面を有する光ガイドと、
前記出力表面上に配設された光学フィルムであって、
第１の方向に沿って延びている複数の実質的に線形の平行な第１の構造を備えかつ前記光ガイドの前記出力表面に面している、第１の構造化表面、
前記第１の方向と異なる第２の方向に沿って延びている複数の実質的に線形の平行な第２の構造を備えかつ前記光ガイドの前記出力表面から離れる方向に面している第２の構造化表面であって、第１の構造及び第２の構造の各々が、前記構造の基部の対向する第１の端部及び第２の端部からそれぞれ延び前記構造の先端で接している、対向する第１の湾曲面及び第２の湾曲面を備え、前記第１の湾曲面及び前記第２の湾曲面が異なる湾曲の軸を有している、第２の構造化表面、並びに、
第３の方向に沿った偏光状態を有する光を実質的に反射し、前記第３の方向と異なる第４の方向に沿った偏光状態を有する光を実質的に透過する反射偏光子であって、前記光源によって放射され前記バックライトから出る光のうちの少なくとも１０％が、前記バックライトから出る前に前記第２の構造化表面によって再利用されるようになっている、反射偏光子
を備える光学フィルムと、を備える、バックライト。
〈態様５３〉
前記光ガイドが前記出力表面とは反対側の背面を備え、前記バックライトが前記光ガイドの前記背面に隣接して配設された反射層を更に備える、態様５２に記載のバックライト。
〈態様５４〉
光学複屈折性基材と、
前記光学複屈折性基材上に配設され、第１の方向に沿って線形に延びている、複数の実質的に平行な頂部構造と、
前記光学複屈折性基材上の前記頂部構造の反対側に配設され、前記第１の方向と異なる第２の方向に沿って線形に延びている、複数の実質的に平行な底部構造と、
前記頂部構造と前記複屈折性基材との間に配設された反射偏光子であって、第３の方向に沿った偏光状態を有する光を実質的に反射し、前記第３の方向と異なる第４の方向に沿った偏光状態を有する光を実質的に透過する、反射偏光子と、
前記頂部構造と前記反射偏光子との間に配設された１／４波長層と、を備え、頂部構造及び底部構造の各々が、前記構造の基部の対向する第１の端部及び第２の端部からそれぞれ延び前記構造の先端で接している、対向する第１の湾曲面及び第２の湾曲面を備えており、前記第１の湾曲面及び前記第２の湾曲面が異なる湾曲の軸を有する、
多層光学フィルム。
【手続補正２】
【補正対象書類名】特許請求の範囲
【補正対象項目名】全文
【補正方法】変更
【補正の内容】
【特許請求の範囲】
【請求項１】
光源と、
前記光源に近接した入力表面、及び出力表面を有する光ガイドと、
前記出力表面上に配設された光学フィルムであって、
第１の方向に沿って延びている複数の実質的に線形の平行な離間された底部構造を備えかつ前記光ガイドの前記出力表面に面している底部層であって、隣接する底部構造間の間隔が約０．５ミクロン〜約３ミクロンの範囲内にある、底部層、
前記第１の方向と異なる第２の方向に沿って延びている複数の実質的に線形の平行な離間された頂部構造を備えかつ前記光ガイドの前記出力表面から離れる方向に面している頂部層であって、隣接する頂部構造間の間隔が約０．５ミクロン〜約５ミクロンの範囲内にある、頂部層、並びに
前記頂部層と前記底部層との間に配設されこれらに接着された反射偏光子であって、第３の方向に沿った偏光状態を有する光を実質的に反射し、前記第３の方向と異なる第４の方向に沿った偏光状態を有する光を実質的に透過する、反射偏光子
を備える光学フィルムと、を備える、バックライト。
【請求項２】
前記第３の方向が前記第１の方向及び前記第２の方向の一方に沿っており、前記第４の方向が前記第１の方向及び前記第２の方向の他方に沿っている、請求項１に記載のバックライト。
【請求項３】
前記第３の方向が前記第４の方向に対して実質的に垂直である、請求項１に記載のバックライト。
【請求項４】
前記第１の方向が前記第２の方向に対して実質的に垂直である、請求項１に記載のバックライト。
【請求項５】
前記光学フィルムと前記光ガイドとの間に配設されたバッファー層を更に備える、請求項１に記載のバックライト。
【請求項６】
前記バッファー層が頂部構造化表面を含む、請求項５に記載のバックライト。
【請求項７】
前記バッファー層の前記構造化表面が表面拡散構造である、請求項６に記載のバックライト。
【請求項８】
前記バッファー層の前記構造化表面がより高いヘイズの部分及びより低いヘイズの部分を有し、前記高いヘイズの部分が前記光源に近接した前記バッファー層の縁部の最も近くに配設されている、請求項７に記載のバックライト。